(57)【要約】【課題】オーバーハング部、またはオーバーハング部の基端部近傍に安定的にサッシが設けられた建物を提供すること。【解決手段】上階部の床となる第１建築用パネル４と、この第１建築用パネル４から上方に配置された第２建築用パネル５と、これら第１および第２建築用パネル４、５のそれぞれの縁部を連結して壁となる第３建築用パネル６とを備えたボックス体３を、オーバーハング部２ａを形成するように一階部１の躯体に固定して設置する。そして、ボックス体３には、その外壁面から内部側に没した位置でサッシ枠６ｃを支持可能な袖壁６ｂを設けておく。このオーバーハング部２ａの荷重は、第１建築用パネル４、第２建築用パネル５、第１建築用パネル６によって分散して負担されるとともに、袖壁６ｂによって壁量も確保されるため、このオーバーハング部にはサッシ６ｄを安定的に設けることができる。【選択図】　　　図３
2004003192.tif 000002
【特許請求の範囲】
【請求項１】
上階部が下階部より外部側に突出したオーバーハング部を有してなる建物であって、
上階部の床となる第１建築用パネルと、この第１建築用パネルから上方に離間して配置された第２建築用パネルと、これら第１建築用パネルの縁部と第２建築用パネルの縁部とを連結して壁となる第３建築用パネルとを備えたボックス体が、前記オーバーハング部を形成するように下階部の躯体に固定されて設置されており、
前記ボックス体には、その外壁面から内部側に没した位置でサッシ枠を支持可能な袖壁が設けられていることを特徴とする建物。
【請求項２】
請求項１に記載の建物において、
前記袖壁は下階部の躯体と上下に連続していることを特徴とする建物。
【請求項３】
請求項１または２に記載の建物において、
前記第１建築用パネルおよび第２建築用パネルは、それぞれ前記オーバーハング部の突出方向に長尺な補強梁と、この補強梁の側面に固定された構造用パネルとを備えていることを特徴とする建物。
【請求項４】
請求項３に記載の建物において、
前記構造用パネルは、矩形枠状の枠体と、この枠体内に取り付けられた補強桟材と、前記枠体の上面に取り付けられた面材とから構成され、
前記構造用パネルは、前記枠体と前記補強梁とを連結ボルトで緊結することによって前記補強梁の側面に固定されていることを特徴とする建物。
【請求項５】
請求項１〜４のいずれかに記載の建物において、
前記オーバーハング部の下方の空間には、カーポートおよび玄関土間が隣接して配設されていることを特徴とする建物。
【請求項６】
請求項５に記載の建物において、
前記玄関土間を有する玄関に隣接するホールには、階段および水廻りが隣接して配設されていることを特徴とする建物。
【発明の詳細な説明】
【０００１】
【発明の属する技術分野】
本発明は、上階部が下階部より外部側へ突出したオーバーハング部を有してなる建物に関する。
【０００２】
【背景の技術】
近年、建物の構築においては、その工業化が進み、例えば、壁や床、屋根といった構成要素を予め工場にてパネル化しておき、施工現場でこれらのパネルを組み立てることにより、建物を構築するといったパネル工法が知られている。
そして、このようなパネル工法により構築された建物には、例えば特開２００１―３２５４３号公報に記載されているように、上階部が下階部より外部側に突出したオーバーハング部を有してなるものがある。この建物は、一階部の外壁を所定長さ内部側に位置させることで、その上方の二階部の外壁を一階部の外壁よりも外部側に位置させて、この二階部をいわゆるオーバーハング部として構成したものである。
【０００３】
【発明が解決しようとする課題】
ところで、前記公報に記載の建物においては、オーバーハング部の荷重が、このオーバーハング部の基端部に位置する床パネルや壁パネルに集中しやすい。したがって、オーバーハング部の突出長さを長くすると、このオーバーハング部の基端部に位置する床パネルや壁パネルの構成部材において、許容せん断応力や許容曲げモーメントを超えてしまう場合がある。すなわち、この床パネルや壁パネルの集中荷重を避けるためにオーバーハング部の突出長さには厳しい限界がある。しかも、オーバーハング部、またはオーバーハング部の基端部近傍に開口部を形成してサッシを設けることは壁量が不足してしまうために困難な場合が多く、プランに制約が生じる。
【０００４】
上記事情に鑑みてなされた本発明の課題は、オーバーハング部、またはオーバーハング部の基端部近傍に安定的にサッシが設けられた建物を提供することである。
【０００５】
【課題を解決するための手段】
以上の課題を解決するため、請求項１に記載の発明は、例えば図１〜図５に示すように、
上階部（二階部２）が下階部（一階部１）より外部側に突出したオーバーハング部２ａを有してなる建物１００であって、
上階部（二階部２）の床となる第１建築用パネル４と、この第１建築用パネル４から上方に離間して配置された第２建築用パネル５と、これら第１建築用パネル４の縁部と第２建築用パネル５の縁部とを連結して壁となる第３建築用パネル６とを備えたボックス体３が、前記オーバーハング部２ａを形成するように下階部（一階部１）の躯体（外壁７、マグサ７ａ）に固定されて設置されており、
前記ボックス体３には、その外壁（第３建築用パネル６）面から内部側に没した位置でサッシ枠６ｃを支持可能な袖壁６ｂが設けられていることを特徴としている。
【０００６】
請求項１に記載の発明によれば、前記ボックス体３は、第１建築用パネル４と第２建築用パネル５と第３建築用パネル６とによってボックス状に形成されているため、全体としての鉛直剛性が確保される。このボックス体３が、オーバーハング部２ａを形成するように下階部（一階部１）の躯体（外壁７、マグサ７ａ）に固定されて設置されている。これにより、ボックス体３は、全体がボックス状の片持梁のようにして躯体（外壁７）に支持された状態となる。したがって、オーバーハング部２ａにおいては、第２建築用パネル５によって第３建築用パネル６および第１建築用パネル４が吊り下げられた構造形態となる。すなわち、ボックス体３の一部であるオーバーハング部２ａの荷重は、構成部材である第１建築用パネル４、第２建築用パネル５、第３建築用パネル６に分散して負担され、従来のように、オーバーハング部２ａの基端部に位置する第１建築用パネル４や第３建築用パネル６に集中して負担されることがない。しかも、前記のように構成されたボックス体３には、その外壁（第３建築用パネル６）面から内部側に没した位置でサッシ枠６ｃを支持可能な袖壁６ｂが設けられている。この袖壁６ｂによってボックス体３の壁量が確保されるとともに、この袖壁６ｂにはサッシ枠６ｃを支持させることができる。以上により、オーバーハング部２ａ、またはオーバーハング部２ａの基端部近傍に安定的にサッシ６ｄを設けることができる。したがって、オーバーハング部２ａを含む部屋に十分な採光が確保され、プランの自由度を高めることができる。
【０００７】
請求項２に記載の発明は、例えば図１〜図３に示すように、請求項１に記載の建物１００において、
前記袖壁６ｂは下階部（一階部１）の躯体（袖壁６ｆ）と上下に連続している。
【０００８】
請求項２に記載の発明によれば、前記袖壁６ｂは下階部（一階部１）の躯体（袖壁６ｆ）と上下に連続しているため構造的に安定している。これにより、ボックス体３の外壁（第３建築用パネル６）面から内部側に没した位置にサッシ６ｄをより安定的に設けることができる。
【０００９】
請求項３に記載の発明は、例えば図５（ａ）に示すように、請求項１または２に記載の建物１００において、
前記第１建築用パネル４および第２建築用パネル５は、それぞれ前記オーバーハング部２ａの突出方向に長尺な補強梁９と、この補強梁９の側面に固定された構造用パネル１０とを備えていることを特徴としている。
【００１０】
請求項３に記載の発明によれば、前記第１建築用パネル４および第２建築用パネル５は、オーバーハング部２ａの突出方向に長尺な補強梁９を備えているので、オーバーハング部２ａの鉛直剛性が増大する。これにより、オーバーハング部２ａの鉛直撓みが小さくなり、ボックス体３の外壁面から内部側に没した位置にサッシ６ｄをさらに安定的に設けることができる。
【００１１】
請求項４に記載の発明は、例えば図５（ａ）に示すように、請求項３に記載の建物１００において、
前記構造用パネル１０は、矩形枠状の枠体１０ａと、この枠体１０ａ内に取付けられた補強桟材１０ｃと、前記枠体１０ａの上面に取付けられた面材１０ｂとから構成され、
前記構造用パネル１０は、前記枠体１０ａと前記補強梁９とを連結ボルト１１ａで緊結することによって前記補強梁９の側面に固定されていることを特徴としている。
【００１２】
請求項４に記載の発明によれば、前記構造用パネル１０は、前記枠体１０ａと前記補強梁９とを連結ボルト１１ａで緊結することによって前記補強梁９の側面に固定されている。すなわち、構造用パネル１０、１０を補強材９の両側面に現場で容易に取付けることができるため、第１建築用パネル４および第２建築用パネル５を、現場で容易に組み立てることができる。
【００１３】
請求項５に記載の発明は、例えば図１、図４に示すように、請求項１〜４のいずれかに記載の建物１００において、
前記オーバーハング部２ａの下方の空間２ｂには、カーポート１３および玄関土間１４ａが隣接して配設されていることを特徴としている。
【００１４】
請求項５に記載の発明によれば、オーバーハング部２ａの下方の空間２ｂには、カーポート１３および玄関土間１４ａが隣接して配設されているので、雨天日においても、玄関土間１４ａにおいて濡れることなく傘を開いたり閉じたりすることができるほか、雨天日等においても、建物１００内とカーポート１３とを濡れることなく行き来することができる。
【００１５】
請求項６に記載の発明は、例えば図１に示すように、請求項５に記載の建物１００において、
前記玄関土間１４ａを有する玄関１４に隣接するホール１５には、階段１６および水廻り（洗面所１７）が隣接して配設されていることを特徴としている。
【００１６】
請求項６に記載の発明によれば、前記玄関１４に隣接するホール１５には、階段１６および水廻り（洗面所１７）が隣接して配設されているので、前記玄関１４から建物１００に入った際に、前記水廻り（洗面所１７）で手等を洗うことができるとともに、前記階段１６から迅速に上階部（二階部２）へ達することができるため、建物１００の使い勝手が良好となる。
【００１７】
【発明の実施の形態】
以下、本発明に係る建物１００の実施の形態例を図１〜図５に基いて説明する。なお、本実施の形態における建物１００は、壁パネル、床パネル、屋根パネル等によりパネル工法で構築された建物となっている。
【００１８】
建物１００は、図１〜図３に示すように、上下二つの階層を有し、上の階層となる二階部２（上階部）が下の階層となる一階部１（下階部）より外部側に突出したオーバーハング部２ａを有してなるものである。ここで、建物１００の一階部１および二階部２の各基本区画は、それぞれ基準寸法Ｍ（モジュール）に基づいて設定されている。この基本寸法（モジュール）Ｍとは、建物のあらゆる部分を一定の大きさの倍数関係に整えるための基準寸法をであり、本実施の形態においては、１Ｍ（モジュール）９１０ｍｍに設定されている。なお、ここでは基準寸法Ｍ（モジュール）の値を９１０ｍｍとしたが、これに限らずどのような値としてもよく、例えば、９１０ｍｍ以外に８００ｍｍ、９００ｍｍ、１０００ｍｍ等といった値が挙げられる。また、図面中ではＭ（モジュール）は、Ｍに下線を引いた状態で示されている。
【００１９】
オーバーハング部２ａは、二階部２の床となる第１建築用パネル４と、この第１建築用パネル４から上方に所定間隔離間して配置された第２建築用パネル５と、これら第１建築用パネル４の縁部と第２建築用パネル５の縁部とを連結して壁となる第３建築用パネル６とによってボックス状に形成されたボックス体３が、後述するように一階部１に設置されて形成されている。
【００２０】
第１建築用パネル４および第２建築用パネル５は、図４に示すように、それぞれ補強梁９と、この補強梁９の両側面にそれぞれ固定された一対の構造用パネル１０、１０とによって平面視矩形状に構成されている。補強梁９は、オーバーハング部２ａの突出方向に長尺な木製部材である。
【００２１】
構造用パネル１０は、図５（ａ）、図５（ｂ）に示すように、縦横の框材が枠状に形成された枠体１０ａと、この枠体１０ａの内側に縦横に組み付けられた補強桟材１０ｃと、この枠体１０ａの上面に取付けられた面材１０ｂとにより形成されている。
【００２２】
ここで、図５（ａ）のように、枠体１０ａの成が比較的小さい場合においては、一対の構造用パネル１０、１０の枠体１０ａ、１０ａの間に挟むようにして補強梁９を配置し、枠体１０ａ、１０ａどうしを連結ボルト１１で緊結すればよい。
【００２３】
また、図５（ｂ）のように、枠体１０ａの成を比較的大きくした場合においては、図５（ａ）に示すような補強梁９を間に挟まずに、枠体１０ａ、１０ａどうしを連結ボルト１１で緊結すればよい。この場合、構造用パネル１０の幅は、例えば枠体１０ａの外面間寸法Ｌで、２２７．５ｍｍである。
【００２４】
なお、オーバーハング部２ａの先端部においては、庇１２が周知の方法で、オーバーハング部２ａの下方の空間２ｂを拡張するようにＬ字状に設けられており、これによって雨等を凌げる前記空間２ｂが拡張されている。
【００２５】
第３建築用パネル６は、第１建築用パネル４の縁部と第２建築用パネル５の縁部とを連結する壁を形成している。第３建築用パネル６には、図２、図３等に示すように、オーバーハング部２ａの基端部近傍となる位置に開口部６ａが形成されている。そして、この開口部６ａの縁部からは、この外壁面から内部側に没した位置でサッシ枠６ｃを支持可能な袖壁６ｂが第３建築用パネル６によって連続して形成されている。さらに、この袖壁６ｂの内部側となる端部にはサッシ枠６ｃが支持されており、このサッシ枠６ｃには掃出し窓であるサッシ６ｄが設けられている。このように、外壁面から没した位置にサッシ６ｄを設けることで、バルコニー６ｅが形成されている。なお、この袖壁６ｂは、一階部１の同位置に設けられた袖壁６ｆ（躯体）と上下に連続する位置に形成されている。
【００２６】
以上のように構成されたボックス体３は、第１建築用パネル４が一階部１の所定位置に建て込まれた外壁７（躯体）、一階部１の上部の所定位置に設けられたマグサ７ａ（躯体）等に固定されている。
詳細には、第１建築用パネル４のオーバーハング部２ａの基端部となる部分４ｂが、図１に示すように、外壁７の上端部に固定されている。すなわち、第３建築用パネル６の下端部には、第１建築用パネル４のオーバーハング部２ａの基端部となる部分４ｂに連通する複数の貫通孔が設けられており、これら貫通孔に連結ボルト１１を挿入して緊結するとともに、適宜図示しないスクリュー釘を打ち込むことによってことによって、第１建築用パネル４のオーバーハング部２ａの基端部となる部分４ｂと外壁７の上端部とが連結されている。
【００２７】
また、第１建築用パネル４の内側端部４ａが、図１に示すように、マグサ７ａに固定されている。詳細には、第１建築用パネル４がマグサ７ａの右側半分に載置され、マグサ７ａの左側半分には、二階部２の床パネル４０の内側端部４０ａが載置されている。これら第１建築用パネル４の内側端部４ａと、二階部２の床パネル４０の内側端部４０ａと、マグサ７ａとは、図示しない連結ボルトやスクリュー釘によって連結されている。
【００２８】
さらに、第１建築用パネル４の側端部４ｃも、下方に位置する外壁７の上端部に固定されている。その固定方法は、前記した第１建築用パネル４と外壁７との固定方法と同様である。
【００２９】
屋根パネル８は、二階部２の上部に設けられた寄棟屋根を形成しており、第２建築用パネル５に図示しないスクリュー釘等によって固定されている。
【００３０】
以上のように形成されたオーバーハング部２ａの下方の空間２ｂには、カーポート１３および玄関土間１４ａが隣接して配設されている。さらに、建物１００においては、玄関土間１４ａを有する玄関１４に隣接するホール１５に、階段１６および洗面所１７（水廻り）が隣接して配設されている。このような平面構成を建物１００が有することで、雨天日においても、玄関土間１４ａにおいて濡れることなく傘を開いたり閉じたりすることができるほか、雨天日等においても、建物１００内とカーポート１３とを濡れることなく行き来することができる。また、玄関１４から建物１００に入った際に、洗面所１７で即座に手等を洗うことができるとともに、階段１６から迅速に二階部２へ達することができるため、建物１００の使い勝手が良好となる。
【００３１】
以下に、本実施の形態に係る建物１００のオーバーハング部２ａの形成方法について説明する。
【００３２】
先ず、一階部１の外壁７、袖壁６ｆを所定の位置に建て込むとともに、ボックス体３を構成する第１建築用パネル４の内側端部４ａの下方となる位置にマグサ７ａを設ける。
【００３３】
次に、外壁７、マグサ７ａ等の上端部に第１建築用パネル４を載置し、連結ボルト１１、図示しないスクリュー釘等によって外壁７、マグサ７ａ等に固定する。
【００３４】
次に、第１建築用パネル４上の所定位置に第３建築用パネル６を立設し、この第３建築用パネル６と第１建築用パネル４とを、連結ボルト１１、図示しないスクリュー釘等によって固定する。
【００３５】
次に、第３建築用パネル６の上端部に第２建築用パネル５を載置し、連結ボルト１１、図示しないスクリュー釘等で固定する。さらに、第２建築用パネル５に、二階部２の天井パネル、屋根パネル８等を、図示しない連結ボルトおよびスクリュー釘等で固定する。
【００３６】
以上、本実施の形態によれば、次のような効果が得られる。
▲１▼ボックス体３は、第１建築用パネル４と第２建築用パネル５と第３建築用パネル６とによってボックス状に形成されているため、全体としての鉛直剛性が確保される。このボックス体３が、オーバーハング部２ａを形成するように一階部１の躯体である外壁７、マグサ７ａに固定されて設置されている。これにより、ボックス体３は、全体がボックス状の片持梁のようにして一階部１の躯体に支持された状態となり、オーバーハング部２ａにおいては、第２建築用パネル５によって第３建築用パネル６および第１建築用パネル４が吊り下げられた構造形態となる。すなわち、ボックス体３の一部であるオーバーハング部２ａの荷重は、構成部材である第１建築用パネル４、第２建築用パネル５、第３建築用パネル６に分散して負担され、従来のように、オーバーハング部２ａの基端部に位置する第１建築用パネル４や第３建築用パネル６に集中して負担されることがない。しかも、ボックス体３には、その外壁面から内部側に没した位置でサッシ枠６ｃを支持可能な袖壁６ｂが設けられている。この袖壁６ｂによってボックス体３の壁量が確保されるとともに、この袖壁６ｂにはサッシ枠６ｃを支持させることができる。以上により、オーバーハング部２ａの基端部近傍に安定的にサッシ６ｄを設けることができる。したがって、オーバーハング部２ａを含む部屋に十分な採光が確保され、プランの自由度を高めることができる。
【００３７】
▲２▼袖壁６ｂは一階部１の袖壁６ｆと上下に連続しているため構造的に安定している。これにより、ボックス体３の外壁面から内部側に没した位置にサッシ６ｄをより安定的に設けることができる。
【００３８】
▲３▼前記第１建築用パネル４および第２建築用パネル５は、オーバーハング部２ａの突出方向に長尺な補強梁９を備えているので、オーバーハング部２ａの鉛直剛性が増大する。これにより、オーバーハング部２ａの鉛直撓みが小さくなり、ボックス体３の外壁面から内部側に没した位置にサッシ６ｄをさらに安定的に設けることができる。
【００３９】
▲４▼構造用パネル１０は、枠体１０ａと補強梁９とを連結ボルト１１ａで緊結することによって補強梁９の側面に固定されている。すなわち、構造用パネル１０、１０を補強材９の両側面に現場で容易に取付けることができるため、第１建築用パネル４および第２建築用パネル５を、現場で容易に組み立てることができる。
【００４０】
▲５▼オーバーハング部２ａの下方の空間２ｂには、カーポート１３および玄関土間１４ａが隣接して配設されているので、雨天日においても、玄関土間１４ａにおいて濡れることなく傘を開いたり閉じたりすることができるほか、雨天日等においても、建物１００内とカーポート１３とを濡れることなく行き来することができる。
【００４１】
▲６▼玄関１４に隣接するホール１５には、階段１６および洗面所１７が隣接して配設されているので、玄関１４から建物１００に入った際に、洗面所１７で手等を洗うことができるとともに、階段１６から迅速に二階部２へ達することができるため、建物１００の使い勝手が良好となる。
【００４２】
なお、本実施の形態は、本発明の趣旨を逸脱しない範囲で種々の変更が可能である。
例えば、構造パネル１０を外壁７に固定する際に、図６に示すように、ブラケット状の補強部材１８を外壁７に連結ボルト１１等によって固定し、この補強部材１８によってオーバーハング部２ａを支持させるようにしてもよい。なお、補強部材１８は、例えばパネルやＬＶＬ等から構成されるものであり、連結ボルト１１によって外壁７に固定するために作業穴１８ａを設けておくことが望ましい。
【００４３】
また、構造パネル１０を外壁７に固定する際に、図７に示すように、補強支持梁１９を構造用床パネル１０と外壁７との間に挟み込むように連結ボルト１１等で固定する方法も考えられる。なお、補強支持梁は、例えばＬＶＬ等から構成されるものであり、補強支持梁１９の側部には沿板１９ａを設けておくことが望ましい。
【００４４】
【発明の効果】
請求項１に記載の発明によれば、前記ボックス体は、全体がボックス状の片持梁のようにして躯体に支持された状態となる。これにより、オーバーハング部においては、第２建築用パネルによって第３建築用パネルおよび第１建築用パネルが吊り下げられた構造形態となる。すなわち、ボックス体の一部であるオーバーハング部の荷重は、構成部材である第１建築用パネル、第２建築用パネル、第３建築用パネルに分散して負担され、従来のように、オーバーハング部の基端部に位置する第１建築用パネルや第３建築用パネルに集中して負担されることがない。しかも、前記のように構成されたボックス体には、その外壁面から内部側に没した位置でサッシ枠を支持可能な袖壁が設けられている。この袖壁によってボックス体の壁量が確保されるとともに、この袖壁にはサッシ枠を支持させることができる。以上により、オーバーハング部、またはオーバーハング部の基端部近傍に安定的にサッシを設けることができる。したがって、オーバーハング部を含む部屋に十分な採光が確保され、プランの自由度を高めることができる。
【００４５】
請求項２に記載の発明によれば、請求項１に記載の発明と同様の効果を得られることは勿論のこと、ボックス体の外壁面から内部側に没した位置にサッシをより安定的に設けることができる。
【００４６】
請求項３に記載の発明によれば、請求項１または２に記載の発明と同様の効果を得られることは勿論のこと、オーバーハング部の鉛直剛性が増大してオーバーハング部の鉛直撓みが小さくなる。したがって、ボックス体の外壁面から内部側に没した位置にサッシをさらに安定的に設けることができる。
【００４７】
請求項４に記載の発明によれば、請求項３に記載の発明と同様の効果を得られることは勿論のこと、補強梁の両側面に構造用パネルを現場で容易に取付けることができるので、第１建築用パネルおよび第２建築用パネルを、現場で容易に組み立てることができる。
【００４８】
請求項５に記載の発明によれば、請求項１〜４のいずれかに記載の発明と同様の効果を得られることは勿論のこと、雨天日においても、玄関土間において濡れることなく傘を開いたり閉じたりすることができるほか、雨天日等においても、建物内とカーポートとを濡れることなく行き来することができる。
【００４９】
請求項６に記載の発明によれば、請求項５に記載の発明と同様の効果を得られることは勿論のこと、前記玄関から建物に入った際に、前記水廻りで手等を洗うことができるとともに、前記階段から迅速に二階部へ達することができるため、建物の使い勝手が良好となる。
【図面の簡単な説明】
【図１】本発明に係る建物の、（ａ）は一階部の平面図であり、（ｂ）は二階部の平面図である。
【図２】（ａ）、（ｂ）ともに、本発明に係る建物の立面図である。
【図３】本発明に係るオーバーハング部を示す、図１におけるＡ−Ａ断面図である。
【図４】本発明に係るオーバーハング部を示す斜視図である。
【図５】（ａ）、（ｂ）ともに、本発明に係る構造用パネルを示す、図４におけるＢ−Ｂ断面図である。
【図６】本発明に係るオーバーハング部を支持する形態例を示す図である。
【図７】（ａ）、（ｂ）ともに、本発明に係るオーバーハング部を支持する形態例を示す図である。
【符号の説明】
１　　　　一階部（下階部）
２　　　　二階部（上階部）
２ａ　　オーバーハング部
２ｂ　　オーバーハング部の下方の空間
３　　　　ボックス体
４　　　　第１建築用パネル
５　　　　第２建築用パネル
６　　　　第３建築用パネル
６ｂ　　袖壁
６ｃ　　サッシ枠
６ｆ　　袖壁（躯体）
７　　　　一階部の外壁（躯体）
７ａ　　マグサ（躯体）
９　　　　補強梁
１０　　　構造用パネル
１０ａ　枠体
１１　　　連結ボルト
１２　　　庇
１３　　　カーポート
１４　　　玄関
１４ａ　玄関土間
１５　　　ホール
１６　　　階段
１７　　　洗面所（水廻り）
１００　　建物
【図１】
2004003192.tif 000003
【図２】
2004003192.tif 000004
【図３】
2004003192.tif 000005
【図４】
2004003192.tif 000006
【図５】
2004003192.tif 000007
【図６】
2004003192.tif 000008
【図７】
2004003192.tif 000009